(57)【特許請求の範囲】
【請求項１】
互いに対向する上枠部材および下枠部材、前記上枠部材および前記下枠部材を連結する鉛直枠部材を備えた本体枠組と、
前記本体枠組内に配設され、上弦材、前記上弦材と対向する下弦材、前記上弦材の端部と前記下弦材の端部を連結する鉛直材、対角線上に設けられた斜材を備えた型枠と、
前記本体枠組の外周に配設されたプレテンション用の複数のジャッキと、から成り、
複数の前記ジャッキは、前記型枠の前記上弦材、前記下弦材、前記鉛直材および前記斜材の延長線上にそれぞれ配設され、
前記斜材の延長線上に配設される前記ジャッキは、前記上枠部材、前記下枠部材、前記鉛直枠部材の何れかに配設され、各部材に同時にプレストレスを導入する
ことを特徴とするプレストレストコンクリートトラス桁の型枠装置。
【発明の詳細な説明】
【技術分野】
【０００１】
この発明は、道路橋や鉄道橋およびコンクリート構造物に使用されるプレストレストコンクリートトラス桁にプレストレスを導入する為の型枠装置に関するものである。
【背景技術】
【０００２】
従来、プレテンション桁、セグメント桁等が提案されている。
例えば、トラス形式のセグメント桁では、特許文献に示すように上弦材および下弦材の導通孔を形成し、複数のトラスユニットを導通孔に挿通した緊張材で緊張して接続して桁が構築されていた。
しかし、斜材や鉛直材には、緊張材が挿通されていなかった。
【先行技術文献】
【特許文献】
【０００３】
【特許文献１】実開昭４８−７１６２５号公報
【発明の概要】
【発明が解決しようとする課題】
【０００４】
しかし、従来のプレテンション桁では、一方向にプレストレスを導入しているため、桁を分割することができず、運搬の都合から桁の長さが制限されると云う欠点が存在した。また、部材断面が大きく、桁重量も重いために運搬や架設に大型機械を必要とした。
一方、セグメント桁の場合は、部材断面が大きいため、ブロックの重量が重く、運搬や架設に大型機械が必要であると云う欠点が存在した。
また、一体化した桁は、重量が重く、桁断面も大きいため、桁にプレストレスを導入するためのＰＣ鋼材量が多くなる欠点が存在した。
【０００５】
本発明は、桁をトラス形状のユニットに分割して製造することで、ユニットの重量および桁の重量を低減することのできるとともに、上弦材、下弦材、鉛直材、斜材から構成されたトラスユニットのそれぞれの部材にプレストレスを導入し、何れの部材も圧縮力、引張力に抵抗することのできるプレストレストコンクリートトラス桁、その製造方法および型枠装置を提供するものである。
【課題を解決するための手段】
【０００６】
この発明は、以下のような内容である。
本発明のプレストレストコンクリートトラス桁の型枠装置は、互いに対向する上枠部材および下枠部材、前記上枠部材および前記下枠部材を連結する鉛直枠部材を備えた本体枠組と、前記本体枠組内に配設され、上弦材、前記上弦材と対向する下弦材、前記上弦材の端部と前記下弦材の端部を連結する鉛直材、対角線上に設けられた斜材を備えた型枠と、前記本体枠組の外周に配設されたプレテンション用の複数のジャッキと、から成り、複数の前記ジャッキは、前記型枠の前記上弦材、前記下弦材、前記鉛直材および前記斜材の延長線上にそれぞれ配設され、前記斜材の延長線上に配設される前記ジャッキは、前記上枠部材、前記下枠部材、前記鉛直枠部材の何れかに配設され、各部材に同時にプレストレスを導入することを特徴とする。
【発明の効果】
【０００７】
この発明のプレストレストコンクリートトラス桁の型枠装置は、本体枠組と、前記本体枠組内に配設された上弦材、下弦材、鉛直材および斜材の各部材要素を備えた型枠と、前記本体枠組の外周に配設されたプレテンション用の複数のジャッキとから成り、前記ジャッキは、前記型枠の上弦材、下弦材、鉛直材および斜材の各部材要素の延長線上にそれぞれ配設され、各部材に同時にプレストレスを導入することができる。
【図面の簡単な説明】
【０００８】
【図１】図１は、本発明に使用されるプレストレストコンクリートトラスユニットの緊張方向を示す説明図である。
【図２】図２は、同プレストレストコンクリートトラスユニットの正面図である。
【図３】図３は、本発明の一実施の形態であるトラスユニットを使用したプレストレストコンクリートトラス桁の製造方法を示す説明図である。
【図４】図４は、本発明のプレストレストコンクリートトラスを使用した箱桁構造の斜視図である。
【図５】図５は、本発明のプレストレストコンクリートトラス桁の他の実施形態を示す説明図である。
【図６】図６は、同プレストレストコンクリートトラス桁の製造工程を示す説明図である。
【図７】図７は、本発明のプレストレストコンクリートトラス桁を製造する際に使用する型枠装置を示す説明図である。
【実施例１】
【０００９】
以下、一実施の形態を示す図面に基づいて、本発明を詳細に説明する。図１は本発明に使用されるプレストレストコンクリートトラスユニットの緊張方向を示す説明図、図２は本発明のプレストレストコンクリートトラスユニットの正面図である。ここで、本発明のプレストレストコンクリートのトラスユニット１０は、コンクリートおよび鉄筋から成る上弦材１１、下弦材１２、鉛直材１３および斜材１４の各部材に挿通したＰＣ鋼材１５にプレテンションを加えて構成されている。
プレテンションの方向は、上弦材１１では上弦材の軸線に沿って配設されたＰＣ鋼材１５にそれぞれＡ、Ｂ方向の引張力が導入される。下弦材１２についても下弦材の軸線に沿って配設されたＰＣ鋼材１５にそれぞれＡ、Ｂ方向の引張力が導入される。また、鉛直材１３については、鉛直材の軸線に沿って配設されたＰＣ鋼材１５にそれぞれＣ、Ｄ方向の引張力が導入される。斜材１４については、斜材の軸線に沿って配設されたＰＣ鋼材１５にそれぞれＥ、Ｆ方向の引張力が導入される。また、上弦材１１、下弦材１２、鉛直材１３には、トラスユニット１０を一体化する為のＰＣ鋼材を挿通するためのダクト１６が配設されている。
【００１０】
図２は、このようにして製造されたプレストレストコンクリートトラスユニットの正面図である。本発明のトラスユニット１０は、上弦材１１、下弦材１２、鉛直材１３および斜材１４の各部材の内部に挿通したＰＣ鋼材１５にプレテンションを加えて構成されているので、トラス部材の断面の縮小化が図れる。
【００１１】
図３は、本発明の一実施の形態であるトラスユニットを使用したプレストレストコンクリートトラス桁１７の製造方法を示す説明図である。ここでは、トラスユニット１０を横方向に並べ、上弦材１１および下弦材１２にＰＣ鋼材を挿通して、それぞれ矢印方向にポストテンション方式で緊張してプレストレストコンクリートトラス桁１７を構成したものである。
【００１２】
図４は、本発明のプレストレストコンクリートトラスを使用した箱桁構造の斜視図である。ここでは、先ずポストテンション方式でプレストレストコンクリートトラス桁１７を一体化する。次に、適宜位置にプレストレストコンクリートトラス桁１７と直交するトラスユニット１０を挿入するとともにＰＣ鋼材で緊張して、プレストレストコンクリートトラス桁１７と一体化する。更に、現場打ち下床版１８および現場打ち上床版１９を打設するとともに、現場打ち下床版１８にＰＣ鋼材を挿通し、ポストテンション方式で緊張して箱桁を構築する。
【００１３】
図５、６は、本発明のプレストレストコンクリートトラス桁の他の実施形態を示す説明図である。本実施の形態では、先ず図６に示すようにトラスユニット１０で床平面２０を形成するとともに、床平面２０の両側にトラスユニット１０で壁部２１を構築する。また、壁部２１と直交するトラスユニット１０で桁２２を構築する。更に、図５に示すように床平面２０と平行に上平面２３が構築される。この形態では、上平面２３上に木製やコンクリート製等の板部材を敷設することで、歩道橋としての利用が可能である。
【００１４】
図７は、本発明のプレストレストコンクリートトラス桁を製造する際に使用する型枠装置を示す説明図である。ここで型枠装置２５は、鋼材等で矩形状に形成された本体枠組２６と、本体枠組内に配設された上弦材１１、下弦材１２、鉛直材１３および斜材１４の各部材要素を備えた型枠２７と、本体枠組２６の外周に配設されたプレテンション用の複数のジャッキ２８とから成り、このジャッキ２８は、型枠２７の上弦材１１、下弦材１２、鉛直材１３および斜材１４の各部材要素の延長線上にそれぞれ配設されている。
【００１５】
以上のように構成された型枠装置２５は、本体枠組内に配設された上弦材１１、下弦材１２、鉛直材１３および斜材１４の各部材要素にＰＣ鋼材１５を張り渡した、各ジャッキ２８を緊張した後、各部材要素にコンクリートを打設する。コンクリートの硬化後、各ＰＣ鋼材１５を切断してトラスユニット１０を製造する。このようにして、各部材に同時にプレストレスを導入することができる。
【００１６】
更に、本発明は上述の実施例に限定されることなく、特許請求の範囲の記載に基づいて種々の設計変更が可能である。
【符号の説明】
【００１７】
１０    トラスユニット
１１    上弦材
１２    下弦材
１３    鉛直材
１４    斜材
１５    ＰＣ鋼材
１６    ダクト
１７    プレストレストコンクリートトラス桁
１８    現場打ち下床版
１９    現場打ち上床版
２０    床平面
２１    壁部
２２    桁
２３    上平面
２５    型枠装置
２６    本体枠組
２７    型枠
２８    ジャッキ
【図１】
0005984131.tif 000002
【図２】
0005984131.tif 000003
【図３】
0005984131.tif 000004
【図４】
0005984131.tif 000005
【図５】
0005984131.tif 000006
【図６】
0005984131.tif 000007
【図７】
0005984131.tif 000008